(57)【要約】【課題】把持部を把持した場合に、良好な密着感が得られて把持しやすい内視鏡を提供する。【解決手段】内視鏡の把持部２６は、第２中心線ＣＬ２に対して左右対称の断面形状を有している。把持部２６は、第１曲面３８と、第２曲面３９Ａ，３９Ｂと、稜線４１Ａ，４１Ｂを有する。第１曲面３８は、第２中心線ＣＬ２との交点Ｐと、稜線４１Ａ，４１Ｂとを含む面ＳＡ１，ＳＢ１に対して外側に凸となる曲面である。第２曲面３９Ａ，３９Ｂは、第２中心線ＣＬ２と平行な面ＳＡ２，ＳＢ２に対して内側に凹となる。【選択図】図６
2019063180.tif 000002
【特許請求の範囲】
【請求項１】
被検体内に挿入され、第１中心線を有する挿入部と、
前記挿入部の基端部に連設された操作部と、
前記操作部と一体に設けられ、第２中心線に対して左右対称の断面形状である把持部とを備え、
前記第１中心線と前記第２中心線とは直交しており、
前記把持部は、前記第２中心線と交差する第１曲面と、前記第２中心線に対して離間する位置に配される第２曲面と、前記第１曲面と前記第２曲面との間に位置する稜線とを有し、
前記第１曲面は、前記第２中心線との交点と、前記稜線とを含む面に対して外側に凸となり、
前記第２曲面は、前記第２中心線と平行な面に対して内側に凹となる内視鏡。
【請求項２】
前記第１曲面は、前記交点を通る位置において最も曲率半径が大きくなり、前記第２中心線から離間するにつれて曲率半径が小さくなる請求項１記載の内視鏡。
【発明の詳細な説明】
【技術分野】
【０００１】
本発明は、内視鏡に関する。
【背景技術】
【０００２】
近年、内視鏡は、医療分野及び工業用分野において広く利用されている。医療分野にお
いて用いられる内視鏡は、一般に、被検体内に挿入する挿入部と、挿入部の基端部分に連設された操作部とを備えている。
【０００３】
内視鏡の挿入部を被検体内に挿入して観察等を行う場合、この内視鏡を操作する術者等は操作部を把持してその操作を行うことになる。このために、操作部は、術者等が片手で把持可能な把持部が一体に設けられている。また、操作部には、各種操作部材および鉗子口などが設けられている。
【０００４】
術者は、操作部の把持部を把持しながら各種操作部材の操作を行う。具体的には、掌と指、特に中指、薬指および小指で包み込むようにして把持部を把持し、人差し指や親指は、いつでも操作しやすいように操作部材に掛けていることが多い。図１６に示すように、特許文献１記載の内視鏡では、握り部１０４（把持部）には滑り止め用の突起１１４が設けられている。突起１１４の両裾野部分１１５、１１６はなめらかに把持部外壁１１７に連続してつながれている。突起１１４は、術者が片手で把持した際、その指１１３が当たる位置に設けられている。
【先行技術文献】
【特許文献】
【０００５】
【特許文献１】特開平９−１７３２７７号公報
【発明の概要】
【発明が解決しようとする課題】
【０００６】
上述したように、内視鏡の操作部では、５本の指全てを使って把持部が把持されることが少ないため、把持し易い形状が求められている。しかしながら、上記特許文献１記載の内視鏡では、把持部に突起が設けられているため、把持部を把持した際に術者の指の位置に突起の位置が合わない場合がある。すなわち、人の手の大きさ、指の長さには違いがあり、把持部の突起が指の関節の位置に当たるとは限らず、指の腹の部分に当たることがあるため、密着感が良くない。また、突起が指の腹に当たっていると圧力が掛かる部分が集中し、指に不要な力が掛かってしまう可能性がある。
【０００７】
本発明は、術者が把持部を把持した場合に、良好な密着感が得られて把持しやすい内視鏡を提供することを目的とする。
【課題を解決するための手段】
【０００８】
本発明の内視鏡は、挿入部と、操作部と、把持部とを備え、第１中心線と第２中心線とは直交しており、把持部は、第２中心線と交差する第１曲面と、第２中心線に対して離間する位置に配される第２曲面と、第１曲面と第２曲面との間に位置する稜線とを有し、第１曲面は、第２中心線との交点と、稜線とを含む面に対して外側に凸となり、第２曲面は、第２中心線と平行な面に対して内側に凹となっている。挿入部は、被検体内に挿入され、第１中心線を有する。操作部は、挿入部の基端部に接続されている。把持部は、操作部と一体に設けられ、第２中心線に対して左右対称の断面形状である。
【０００９】
第１曲面は、交点を通る位置において最も曲率半径が大きくなり、第２中心線から離間するにつれて曲率半径が小さくなることが好ましい。
【発明の効果】
【００１０】
本発明の内視鏡によれば、術者が把持部を把持した場合に、良好な密着感が得られて把持しやすい内視鏡を提供することができる。
【図面の簡単な説明】
【００１１】
【図１】内視鏡の斜視図である。
【図２】内視鏡操作部の正面側斜視図である。
【図３】内視鏡操作部の背面側斜視図である。
【図４】内視鏡操作部の側面図である。
【図５】図４のＶ−Ｖ線に沿って切断した断面図である。
【図６】図５の要部を拡大した要部断面図である。
【図７】吸引ボタンを外した状態の内視鏡操作部の斜視図である。
【図８】吸引ボタンを外した状態の内視鏡操作部の断面図である。
【図９Ａ】吸引ボタンを口金から取り外すために、内視鏡操作部に対して回転操作が開始されたときの状態を説明するための説明図である。
【図９Ｂ】吸引ボタンが回転操作により、口金の傾斜面に沿って徐々に軸線方向に移動している状態を示す説明図である。
【図９Ｃ】吸引ボタンが取り外された状態を示す説明図である。
【図１０】側面蓋およびパッキンを外した状態の内視鏡操作部の斜視図である。
【図１１】側面蓋およびパッキン周辺の断面図である。
【図１２】パッキンの平面図である。
【図１３Ａ】図４のＸIII−ＸIII線に沿って切断した断面図である。
【図１３Ｂ】従来の内視鏡における円盤部の断面図である。
【図１４】操作部の上面図である。
【図１５】背面側スイッチの配置を説明する内視鏡の側面図である。
【図１６】従来の内視鏡における把持部の断面図である。
【発明を実施するための形態】
【００１２】
［内視鏡の概略構成］
図１に示すように、内視鏡１０は、例えば気管に挿入する気管支鏡であり、気管内（特許請求の範囲における被検体内に相当）に挿入される挿入部１１と、挿入部１１の基端部に連設された操作部１２と、操作部１２に接続されたユニバーサルコード１３とを備えている。ユニバーサルコード１３は、複合タイプのコネクタ１３ａを介して、図示しないプロセッサ装置や光源装置などの外部装置に接続される。
【００１３】
挿入部１１は、その先端側から基端側に向かって順に、先端硬性部１１ａと、湾曲自在な湾曲部１１ｂと、可撓性を有する可撓管部１１ｃとからなる。先端硬性部１１ａの先端面には、鉗子等の処置具１４の出口である鉗子出口１５の他に、図示は省略するが観察窓や照明窓が設けられている。観察窓の奥にはイメージセンサ（図示せず）などが配置され、照明窓の奥には光ファイバケーブル（図示せず）が配置されている。イメージセンサの信号線や光ファイバケーブルは、挿入部１１、操作部１２、ユニバーサルコード１３、及びコネクタ１３ａ内を通って、プロセッサ装置、光源装置にそれぞれ接続される。
【００１４】
挿入部１１内には、処置具１４を挿通するための鉗子チャンネル１６が配設されている。鉗子チャンネル１６の一端は鉗子出口１５に接続し、他端は操作部１２に設けられた鉗子口１７に接続している。また、鉗子チャンネル１６は、鉗子出口１５から血液等の体液や体内汚物等の固形物などを吸引するための経路としても用いられる。操作部１２内には、鉗子チャンネル１６から分岐した吸引チャンネル１８が配設されており、この吸引チャンネル１８は操作部１２に設けられた吸引ボタン１９に接続している。
【００１５】
吸引ボタン１９は、操作部１２に対して取り付けて使用されるディスポーザブルタイプのものであり、例えば樹脂から形成されている。吸引ボタン１９は、パイプ部２１と、チューブ接続口２２と、内部に設けられた吸引バルブ（図示せず）とを備える。吸引バルブは、操作部１２内において吸引チャンネル１８と接続されるとともにパイプ部２１、チューブ接続口２２、吸引チューブ２５を介して、操作部１２の外部の吸引ポンプ（図示せず）と接続される。
【００１６】
吸引ボタン１９の押圧部１９Ａを押圧操作することで、吸引バルブの軸部がスライドし、吸引チャンネル１８と吸引ポンプの管路が連通する。これにより、被検体内等に挿入した挿入部１１の鉗子出口１５から、体液等を吸引することができる。また、押圧部１９Ａの押圧操作を解除することにより、吸引チャンネル１８と吸引ポンプの管路の連通が遮断され、鉗子出口１５からの吸引を停止することができる。
【００１７】
図２に示すように、鉗子口１７には、口金１７Ａが設けられており、口金１７Ａには、処置具１４が挿通可能なディスポーザブルタイプの鉗子栓２３が装着されている。鉗子栓２３は、体内の体液、汚物、空気等が鉗子チャンネル１６内を逆流して口金１７Ａから外部に漏れることを防止する。なお、図３以降では、鉗子栓２３の図示を省略している。
【００１８】
［操作部の概略構成］
図３及び図４に示すように、操作部１２は、操作部本体２４と、把持部２６とが一体に設けられている。操作部本体２４には、湾曲操作レバー２７、押しボタンスイッチ２８Ａ〜２８Ｄ、吸引ボタン１９といった操作部材が支持される。湾曲操作レバー２７は、挿入部１１の先端部、すなわち湾曲部１１ｂを湾曲させるための操作部材である。押しボタンスイッチ２８Ａ〜２８Ｄは、例えば、フリーズ、トリガー、レコード、測光モード切り替え、シャッタスピード切り替え、特殊光簡易切り替え、および構造強調などの機能のいずれかが割り当てられている。
【００１９】
操作部本体２４は、略箱状に形成され、正面２９と、正面２９に連続する側面３１Ａ，３１Ｂとを有する。正面２９には、吸引ボタン１９が取り付けられる口金部３２（図７参照）が設けられている。また、正面２９には、押しボタンスイッチ２８Ａ，２８Ｂが配される。
【００２０】
側面３１Ａ，３１Ｂには、円盤部３３Ａ，３３Ｂ（図１も参照）が左右対称の位置に設けられている。円盤部３３Ａ，３３Ｂは、後述するように操作部本体２４とは別部品であり、側面３１Ａ，３１Ｂに対して固着されている。側面３１Ａ，３１Ｂは、操作部本体２４の背面側において、外形の一部分が円盤部３３Ａ，３３Ｂの外周に沿った円弧状となっている。一方の円盤部３３Ａは、湾曲操作レバー２７と操作部本体２４との間に配される。他方の円盤部３３Ｂは、図示しない開口部を貫通してユニバーサルコード１３が突出しており、ユニバーサルコード１３のマウント部を覆うゴム製のスリーブ３４と操作部本体２４との間に配される。湾曲操作レバー２７は、一方の側面３１Ａから操作部本体２４の背面側へ屈曲するＬ字形状に形成されている。
【００２１】
操作部本体２４の背面側には、円盤部３３Ａ，３３Ｂの間を繋ぐ円周面３６が形成されている。円周面３６の上部には、押しボタンスイッチ２８Ｃ，２８Ｄが配される操作面３７が設けられている。
【００２２】
把持部２６は、挿入部１１に連続する略細長筒状の形状をしている。また、把持部２６には、挿入部１１の近傍位置に口金１７Ａが配されている。
【００２３】
［把持部の断面形状］
図４に示すように、挿入部１１は、第１中心線ＣＬ１を有する。なお、第１中心線ＣＬ１は、操作部１２と連設される挿入部１１の基端部における中心線である。図５に示すように、把持部２６は、挿入部１１の第１中心線ＣＬ１（図４参照）と直交する第２中心線ＣＬ２に対して左右対称の断面形状を有している。把持部２６は、第１曲面３８と、第２曲面３９Ａ，３９Ｂと、稜線４１Ａ，４１Ｂとを有する。第１曲面３８は、第２中心線ＣＬと交差し、第２曲面３９Ａ，３９Ｂは、第２中心線ＣＬ２に対して離間する位置に配される。稜線４１Ａ，４１Ｂは、第１曲面３８と第２曲面３９Ａ，３９Ｂとの間に位置する。なお、図５及び図６においては、内視鏡１０の内部機構等は省略している。
【００２４】
図６に示すように、第１曲面３８は、第２中心線ＣＬ２との交点Ｐと、稜線４１Ａ，４１Ｂとを含む面ＳＡ１，ＳＢ１に対して外側に凸となる曲面であり、交点Ｐを通る位置において曲率半径Ｒ１が最も大きくなり、第２中心線ＣＬ２から離間するにつれて曲率半径が小さくなる。すなわち、第１曲面３８において第２中心線ＣＬ２から最も離間した位置（稜線４１Ａ，４１Ｂと接する位置）の曲率半径Ｒ２が最も小さい。これにより、術者が把持部２６を把持した場合、特に中指、薬指および小指で包み込むようにして把持部２６を把持し、かつ人差し指や親指は、吸引ボタン１９、湾曲操作レバー２７などに掛けている場合、第１曲面３８に沿って中指、薬指および小指を掛けやすくなっている。また、把持部２６が左右対称の断面形状を有していることから、左右のどちらの手でも把持しやすくなっている。
【００２５】
なお、稜線４１Ａ，４１Ｂは、実際には線ではなく第１曲面３８と、第２曲面３９Ａ，３９Ｂとをスムーズに繋ぐ小さいアール形状であり、例えば半径０．７ｍｍ〜１．０ｍｍのアール形状である。
【００２６】
第２曲面３９Ａ，３９Ｂは、第２中心線ＣＬ２と平行な面ＳＡ２，ＳＢ２に対して内側に凹となる。なお、第２中心線ＣＬ２と平行な面ＳＡ２，ＳＢ２に対する第２曲面３９Ａ，３９Ｂの凹み量Ｄは、例えば０．２ｍｍ〜０．６ｍｍである。
【００２７】
このように、把持部２６は、第２中心線ＣＬ２に対して左右対称の断面形状をしており、交点Ｐと稜線４１Ａ，４１Ｂとを含む面ＳＡ１，ＳＢ１に対して外側に凸となる第１曲面３８と、第２中心線ＣＬ２と平行な面ＳＡ２，ＳＢ２に対して内側に凹となる第２曲面３９Ａ，３９Ｂを有しているため、術者が把持部２６を右手で把持した場合は、指の腹の部分に第２曲面３９Ａの凹み部分が引っ掛かり、術者が把持部２６を左手で把持した場合は指の腹の部分に第２曲面３９Ｂが引っ掛かる。これにより、術者が把持部２６を把持し易くなっている。従来のように、把持部の外周面に突起を設けた場合と比較して、人の手の大きさ、指の長さの違いに関係無く、指の腹に当たるものがないため、良好な密着感で把持部を把持することができる。また、指の腹に当たるものが無いため、指に不要な力が掛かかることがない。
【００２８】
［吸引ボタンの着脱構造］
図７に示すように、操作部本体２４の正面２９には、吸引ボタン１９が装着される装着部４２と、押しボタンスイッチ２８Ａ，２８Ｂが配される操作面４３とが形成されている。装着部４２は、テーパー面４４、および切欠き４６が形成されている。操作面４３は、装着部４２の下方に配されている。
【００２９】
テーパー面４４は、操作部本体２４の正面２９から上面２４Ａおよび側面３１Ａ，３１Ｂに向かって傾斜する傾斜面である。切欠き４６は、テーパー面４４が側面３１Ｂに隣接する位置から操作部本体２４の中央に向かって装着部４２の一部が切り欠かれている部分である。切欠き４６は、操作部本体２４の背面側から正面側に向かって傾斜する２つの傾斜面４６Ａ，４６Ｂを有する。
【００３０】
一方の傾斜面４６Ａ（ガイド面）は、操作面４３に向かって傾斜している。傾斜面４６Ａと操作面４３との間には、操作部本体２４の外側に向かって凸となる凸部４７が形成されている。凸部４７は、傾斜面４６Ａと滑らかに連続するリブ形状に形成されている。
【００３１】
図８に示すように、口金部３２は、例えば金属から形成され、切欠き４６の内部に固着されている。吸引ボタン１９は、口金部３２に対して着脱可能に取り付けられる。口金部３２は、先端面から切り欠かれた部分に傾斜面３２Ａ，３２Ｂが形成されている。傾斜面３２Ａ，３２Ｂは、切欠き４６の傾斜面４６Ａ，４６Ｂと滑らかに連続している。
【００３２】
吸引ボタン１９は、押圧部１９Ａと、嵌合部４８と、パイプ部２１と、チューブ接続口２２とが一体に設けられている。チューブ接続口２２には、吸引チューブ２５（図１参照）が接続される。嵌合部４８は、押圧部１９Ａの押圧操作される面とは反対側の位置にパイプ部２１を挟んで連設され、円筒状に形成されている。嵌合部４８の外周面が口金部３２の内周面に嵌合して吸引ボタン１９が装着部４２に取り付けられる。
【００３３】
パイプ部２１は、押圧部１９Ａと嵌合部４８の径方向に延設して配されている。パイプ部２１の両側、かつ嵌合部４８と隣接する位置には、押圧部１９Ａから嵌合部４８側へパイプ部２１の中心に向かって傾斜する傾斜面４９Ａ，４９Ｂ（図９Ａ〜図９Ｃ参照）が形成されている。傾斜面４９Ａ，４９Ｂは、切欠きの傾斜面４６Ａ，４６Ｂに合わせて形成されている。これにより、嵌合部４８の外周面が口金部３２の内周面に嵌合して吸引ボタン１９が装着部４２に取り付けられた際、吸引ボタン１９の傾斜面４９Ａ，４９Ｂが切欠きの傾斜面４６Ａ，４６Ｂに当接し、切欠き４６を通して操作部本体２４からパイプ部２１が外側へ突出する。
【００３４】
吸引ボタン１９を取り外す場合は、先ず図９Ａに示すように、吸引ボタン１９を嵌合部４８の中心軸回りに回転させる。この際、パイプ部２１を押して操作することで吸引ボタン１９を回転させやすくなっている。
【００３５】
図９Ａに示す状態から、吸引ボタン１９を時計回りに回転させると切欠き４６の傾斜面４６Ａが吸引ボタン１９の傾斜面４９Ａをガイドする。傾斜面４９Ａのガイドに従って、吸引ボタン１９の回転が軸方向の移動に変換されるため、図９Ｂに示すように、吸引ボタン１９は、口金部３２から離脱する方向に徐々に移動していく。
【００３６】
なお、上述したように、傾斜面４６Ａと操作面４３との間には、凸部４７が形成されている。吸引ボタン１９が回転した場合、パイプ部２１も一体となって回転するが、凸部４７がパイプ部２１の位置を規制する。これにより、操作面４３側へパイプ部２１が移動することを防ぐことができる。このため、パイプ部２１の押しボタンスイッチ２８Ａ，２８Ｂへの接触を回避することができる。
【００３７】
図９Ｂに示す状態からさらに吸引ボタン１９の回転を続行させると、傾斜面４６Ａが傾斜面４９Ａをガイドすることにより、吸引ボタン１９がさらに軸方向に移動する。これにより、図９Ｃに示すように、嵌合部４８と口金部３２の嵌合が解除され、口金部３２から吸引ボタン１９が外される。なお、吸引ボタン１９を反時計回りに回転させた場合は、吸引ボタン１９の傾斜面４９Ｂが、切欠き４６の傾斜面４６Ｂに当接して回転を阻止する。
【００３８】
以上のように、装着部４２に傾斜面４６Ａ，４６Ｂを形成し、吸引ボタン１９に傾斜面４９Ａ，４９Ｂを形成したことで、吸引ボタン１９を回転させるだけで、装着部４２から吸引ボタン１９を容易に取り外すことができる。また、傾斜面４６Ａ，４６Ｂは操作部本体２４と一体に形成されているので、高い洗浄性を有することができる。
【００３９】
[蓋部材のパッキン形状]
図１０に示すように、操作部本体２４は、側面３１Ｂに設けられた蓋部材５１と、箱状の筐体５２とを有する。蓋部材５１は、円盤部３３Ｂが固着されている。筐体５２は、内部機構を収納し、押しボタンスイッチ２８Ａ〜２８Ｄなどを支持する。蓋部材５１は、筐体５２の内部を覆い、筐体５２に対して例えばネジ止めなどにより固定される。また、内視鏡１０の修理やメンテナンスの際、蓋部材５１が筐体５２から取り外される場合もある。蓋部材５１と筐体５２との間には、弾性体から形成されたパッキン５３が取り付けられている。
【００４０】
図１１に示すように、筐体５２には、蓋部材５１の外周面５１Ａが嵌め込まれる開口部５２Ａと、蓋部材５１の内壁面５１Ｂを受けるリブ５２Ｂとが形成されている。蓋部材５１は、外周面５１Ａに沿ってパッキン取付部５１Ｃが形成されている。パッキン取付部５１Ｃは、開口部５２Ａおよびリブ５２Ｂとの間に一定の隙間を形成する
パッキン５３は、例えば断面が円形状であり、パッキン取付部５１Ｃが開口部５２Ａおよびリブ５２Ｂとの間に形成する隙間よりも若干大きい断面積を有する。パッキン５３は、パッキン取付部５１Ｃに取り付けられ、筐体５２と蓋部材５１との間に挟み込まれた状態で取り付けられる。これにより、操作部本体２４の水密を保持することができる。
【００４１】
図１２に示すように、パッキン５３は、コーナー部分５３Ａ〜５３Ｅで屈曲する枠形状に形成されている。コーナー部分５３Ａ〜５３Ｅは、全て外側に凸となる方向に屈曲している。すなわち、コーナー部分５３Ａ〜５３Ｅが全てパッキン５３の最も外側に位置しており、内側に屈曲している部分が無い。これにより、筐体５２および蓋部材５１に挟持された場合、内側に屈曲しにくい構造となっている。パッキンが内側に屈曲した場合、筐体５２および蓋部材５１との間に隙間が生じやすいが本実施形態のパッキン５３では、そのようなことがない。
【００４２】
[円盤部の形状]
図１３Ａに示すように、円盤部３３Ａは、操作部本体２４の側面３１Ａと一体に設けられ、湾曲操作レバー２７と操作部本体２４との間に配される。円盤部３３Ａには、中心軸２７Ａを介して湾曲操作レバー２７が取り付けられている。中心軸２７Ａには、挿入部１１の湾曲部１１ｂを湾曲させる駆動機構（図示せず）が接続されている。湾曲操作レバー２７を回転操作することにより、操作部１２の内部に設けられた駆動機構が動作して湾曲部１１ｂを湾曲操作することができる。
【００４３】
円盤部３３Ａは、中心軸２７Ａが嵌め込まれる貫通穴３３Ｃを有し、湾曲操作レバー２７側へ向かって徐々に外径が小さくなるテーパー面３３Ｄが形成されている。
【００４４】
円盤部３３Ａは、厚肉に成形されることを防ぐため、テーパー面３３Ｄが内側に屈曲する断面形状となっている。これは、円盤部３３Ａを含む筐体５２を成形する金型において、テーパー面３３Ｄが内側へ屈曲する形状を予め作っておくことで、テーパー面３３Ｄの外側の厚みを減らし（網掛けで示す部分）、円盤部３３Ａが厚肉に成形されることを防いでいる。これにより、厚肉成形した場合に成形収縮によって生じる変形（ヒケと称される凹みなど）を防ぐことができる。また、円盤部３３Ａは、溝や切欠きではなく、テーパー面３３Ｄを屈曲させることで厚肉を防いでいるため、汚れが詰まりやすい箇所（バクテリアトラップと称される。）がなく、洗浄性が向上している。さらにまた、円盤部３３Ａは、ヒケなどの成形収縮によって生じる変形を回避するという形状の制約範囲内で、操作部本体２４と造形的親和性を持たせることができる。
【００４５】
また、図１３Ｂに示すように、従来の内視鏡では、円盤部５６が、円盤部本体５６Ａと、リング状部品５６Ｂとからなる２部品で構成されている。円盤部５６の外観を単一の球面で構成することを考慮したため、このような構成となっている。円盤部本体５６Ａは、貫通穴５６Ｃを有し、テーパー面５６Ｄが形成されている。円盤部本体５６Ａの防水性低下、および成形収縮によって生じる変形を回避するために、テーパー面５６Ｄの外周付近に切欠き５６Ｅを予め成形している。この切欠き５６Ｅにリング状部品５６Ｂを嵌合させることで、切欠き５６Ｃを隠すとともに、円盤部５６の外観を単一の球面状としている。また、リング状部品５６Ｂを円盤部本体５６Ａと別の色で成形して識別性や特徴を持たせている。
【００４６】
これに対して、本実施形態の円盤部３３Ａでは、上述したように、テーパー面３３Ｄを内側へ屈曲する形状にし、外側の厚みを減らしたことで別部品が不要となるため、部品点数の削減も図ることができる。なお、本実施形態では、湾曲操作レバー２７と操作部本体２４との間に配される円盤部３３Ａについてテーパー面３３Ｄを有し、外側の厚みを減らす形状にしているが、これに限らず、スリーブ３４と操作部本体２４との間に配される円盤部３３Ｂについても同様のテーパー面３３Ｄを有し、外側の厚みを減らす形状にしてもよい。
【００４７】
[湾曲操作レバーの形状]
図１４に示すように、湾曲操作レバー２７は、円盤部３３Ａから、背面側の円周面３６へ屈曲する円弧状の屈曲部分２７Ｂを有する。この屈曲部分２７Ｂを設けることで、術者が把持部２６を把持した場合、屈曲部分２７Ｂにも親指を掛けることが可能となり、親指を掛ける位置の自由度が高い。屈曲部分２７Ｂが設けられていない従来の内視鏡では、湾曲操作レバーの屈曲部分の長さＬが短く、略直角に屈曲する形状だったため、屈曲部分に指を掛けることができなかったが、本実施形態の湾曲操作レバー２７では、そのようなことがない。
【００４８】
また、湾曲操作レバー２７の表面は凹凸を有するローレット形状に形成されている。このローレット形状は、凸となる部分の先端のエッジを立てるとともに、凹となる部分の凹み量を小さくしている。これにより、湾曲操作レバー２７のグリップ性と洗浄性を向上させている。
【００４９】
[押しボタンスイッチを設けた操作面の傾斜角度]
図１５に示すように、押しボタンスイッチ２８Ｃ，２８Ｄが配される操作面３７は、第１中心線ＣＬ１と平行な面ＳＣに対して前方へ向かって、すなわち円周面３６側から正面２９側へ向かって傾斜している。なお、面ＳＣに対する操作面３７の傾斜角度αはわずかに１０°〜１５°とすることが好ましい。また、押しボタンスイッチ２８Ｃ，２８Ｄの先端面は、操作面３７と平行に形成されている。
【００５０】
押しボタンスイッチ２８Ｃ，２８Ｄを設けた操作面３７を前方へ傾斜させたことにより、内視鏡１０を把持する術者が、押しボタンスイッチ２８Ｃ，２８Ｄを押圧しやすくなっている。また、術者が押しボタンスイッチ２８Ｃ，２８Ｄを押圧操作する際は、湾曲操作レバー２７に掛けた指、例えば親指を前方にずらすだけで容易に押圧操作に移行することができる。
【００５１】
上記各実施形態では、気管に挿入する内視鏡１０を例に挙げて説明を行ったが、例えば耳鼻内視鏡や膀胱内視鏡等の各種医療用内視鏡や、工業用途などの他の用途に使用される内視鏡などにも本発明を適用することができる。
【００５２】
（付記項１−１）
被検体内に挿入される挿入部と、
前記挿入部の基端部に連設された操作部と、
前記操作部と一体に設けられた装着部と、
前記装着部に装着される吸引ボタンとを備え、
前記吸引ボタンは、円筒状の嵌合部が連設され、
前記装着部は、前記嵌合部が嵌合する口金部と、前記口金部と連続するガイド面を備え、前記吸引ボタンを前記嵌合部の回りに回転させた場合、前記ガイド面のガイドに従って、前記吸引ボタンの回転が軸方向の移動に変換され、前記嵌合部と前記装着部との嵌合が解除される内視鏡。
【００５３】
（付記項１−２）
前記吸引ボタンは、前記嵌合部の径方向に延設されているパイプ部を備え、
前記装着部は、前記ガイド面と滑らかに連続する凸部を備え、
前記吸引ボタンが回転した場合、前記凸部が前記パイプ部の位置を規制する付記項１−１記載の内視鏡。
【００５４】
（付記項２）
被検体内に挿入される挿入部と、
前記挿入部の基端部に連設された操作部とを備え、
前記操作部は、
内部機構を収納する筐体と、
前記筐体の内部を覆う蓋部材と、
前記筐体と前記蓋部材との間に挟み込まれた状態で取り付けられるパッキンとを有し、
前記パッキンのコーナー部分は外側に凸となる方向に屈曲している内視鏡。
【００５５】
（付記項３−１）
被検体内に挿入される挿入部と、
前記挿入部の基端部に連設された操作部とを備え、
前記操作部は、
操作部本体と、
前記挿入部の先端部を湾曲させるための湾曲操作レバーと、
前記湾曲操作レバーと、前記操作部本体との間に配される円盤部とを有し、
前記円盤部には、内側に屈曲する断面形状を有するテーパー面が形成されている内視鏡。
【００５６】
（付記項３−２）
被検体内に挿入される挿入部と、
前記挿入部の基端部に連設された操作部と、
ユニバーサルコードを支持するマウント部と、
を備え、
前記操作部は、
操作部本体と、
前記マウント部を覆うスリーブと、
前記スリーブと、前記操作部本体との間に配される円盤部とを有し、
前記円盤部には、内側に屈曲する断面形状を有するテーパー面が形成されている内視鏡。
【００５７】
（付記項４）  被検体内に挿入される挿入部と、
前記挿入部の基端部に連設された操作部とを備え、
前記操作部は、操作部材が配される操作面を有し、
前記操作面は、前記挿入部の中心線と平行な面に対して傾斜している内視鏡。
【符号の説明】
【００５８】
１０  内視鏡
１１  挿入部
１１ａ  先端硬性部
１１ｂ  湾曲部
１１ｃ  可撓管部
１２  操作部
１３  ユニバーサルコード
１３ａ  コネクタ
１４  処置具
１５  鉗子出口
１６  鉗子チャンネル
１７  鉗子口
１７Ａ  口金
１８  吸引チャンネル
１９  吸引ボタン
１９Ａ  押圧部
２１  パイプ部
２２  チューブ接続口
２３  鉗子栓
２４  操作部本体
２４Ａ  上面
２６  把持部
２７  湾曲操作レバー
２７Ａ  中心軸
２７Ｂ  屈曲部分
２８Ａ，２８Ｂ，２８Ｃ，２８Ｄ  ボタンスイッチ
２９  正面
３１Ａ，３１Ｂ  側面
３２  口金部
３２Ａ，３２Ｂ  傾斜面
３３Ａ，３３Ｂ  円盤部
３３Ｃ  貫通穴
３３Ｄ  テーパー面
３４  スリーブ
３６  円周面
３７  操作面
３８  第１曲面
３９Ａ，３９Ｂ  第２曲面
４１Ａ，４１Ｂ  稜線
４２  装着部
４３  操作面
４４  テーパー面
４６Ａ，４６Ｂ  傾斜面
４７  凸部
４８  嵌合部
４９Ａ，４９Ｂ  傾斜面
５１  蓋部材
５１Ａ  外周面
５１Ｂ  内壁面
５１Ｃ  パッキン取付部
５２  筐体
５２Ａ  開口部
５２Ｂ  リブ
５３  パッキン
５３Ａ，５３Ｂ，５３Ｃ，５３Ｄ，５３Ｅ  コーナー部分
５６  円盤部
５６Ａ  円盤部本体
５６Ｂ  リング状部品
５６Ｃ  貫通穴
５６Ｄ  テーパー面
５６Ｅ  切欠き
１０４  握り部
１１３  指
１１４  突起
１１５  両裾野部分
１１６  両裾野部分
１１７  把持部外壁
ＣＬ１  第１中心線
ＣＬ２  第２中心線
Ｄ  凹み量
Ｌ  長さ
Ｐ  交点
ＳＡ１，ＳＢ１，ＳＡ２，ＳＢ２，ＳＣ  面
Ｒ１，Ｒ２  曲率半径
【図１】
2019063180.tif 000003
【図２】
2019063180.tif 000004
【図３】
2019063180.tif 000005
【図４】
2019063180.tif 000006
【図５】
2019063180.tif 000007
【図６】
2019063180.tif 000008
【図７】
2019063180.tif 000009
【図８】
2019063180.tif 000010
【図９Ａ】
2019063180.tif 000011
【図９Ｂ】
2019063180.tif 000012
【図９Ｃ】
2019063180.tif 000013
【図１０】
2019063180.tif 000014
【図１１】
2019063180.tif 000015
【図１２】
2019063180.tif 000016
【図１３Ａ】
2019063180.tif 000017
【図１３Ｂ】
2019063180.tif 000018
【図１４】
2019063180.tif 000019
【図１５】
2019063180.tif 000020
【図１６】
2019063180.tif 000021